(57)【要約】      （修正有）【課題】配線設備の接続関係を正確且つ効率的に特定可能な配線設備管理システムを提供する。【解決手段】複数の端子を有する接続元の端子盤と、複数の端子を有する接続先の端子盤と、それらの間を電気的に接続する複数の配線と、を有する配線設備を管理する配線設備管理システム（１０）であって、接続元の端子盤及び接続先の端子盤の少なくとも何れかが有する複数の端子に対応して設けられ、個別の識別情報を記憶する複数の記憶素子と、複数の識別情報と、接続元及び接続先の複数の端子並びに複数の配線の接続関係を示す複数の接続情報と、をそれぞれ対応付けて記憶する記憶部と、記憶素子に記憶された識別情報を読み出すための読出部（３０b)と、記憶素子から読み出された識別情報と、識別情報と対応付けられた接続情報とに基づいて、記憶素子に対応する接続元及び接続先の端子並びに配線の接続関係を特定する特定部と、を備えてなる。【選択図】図１
2006101574.tif 000002
【特許請求の範囲】
【請求項１】
複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理システムであって、
前記接続元の端子盤及び前記接続先の端子盤の少なくとも何れかが有する複数の端子に対応して設けられ、個別の識別情報を記憶する複数の記憶素子と、
前記複数の記憶素子に記憶された複数の識別情報と、前記接続元の端子盤が有する複数の端子、前記接続先の端子盤が有する複数の端子、及び前記複数の配線の接続関係を示す複数の接続情報と、をそれぞれ対応付けて記憶する記憶部と、
前記複数の記憶素子のそれぞれに記憶された識別情報を読み出すための読出部と、
前記記憶素子から前記読出部により読み出された識別情報と、当該識別情報と対応付けられて前記記憶部に記憶された接続情報とに基づいて、当該識別情報が記憶された記憶素子に対応する前記接続元の端子盤の端子、前記接続先の端子盤の端子、及び前記配線の接続関係を特定する特定部と、
を備えたことを特徴とする配線設備管理システム。
【請求項２】
前記配線設備を特定する情報と、当該配線設備の図面を表示するための図面用情報とを対応付けて記憶する図面用情報記憶部と、
前記記憶部に記憶される接続情報を、当該接続情報に該当する配線設備を特定する情報と対応付けられて前記図面用情報記憶部に記憶された図面用情報に基づいて生成する生成部と、
を更に備えたことを特徴とする請求項１に記載の配線設備管理システム。
【請求項３】
前記生成部は、前記図面用情報から抽出された文字情報に基づいて前記接続情報を生成する、ことを特徴とする請求項２に記載の配線設備管理システム。
【請求項４】
前記記憶素子から前記読出部により読み出された識別情報に基づいて前記特定部により特定された接続関係と、当該接続関係に該当する配線設備を特定する情報に対応付けられて前記図面用情報記憶部に記憶された図面用情報とに基づいて、当該配線設備に係る当該接続状態を表示する、
表示部、
を更に備えたことを特徴とする請求項２又は３に記載の配線設備管理システム。
【請求項５】
前記表示部は、前記記憶素子に対応する前記端子を表示する、ことを特徴とする請求項４に記載の配線設備管理システム。
【請求項６】
前記表示部は、前記接続状態を表示するためのディスプレイ又はプリンタを有することを特徴とする請求項４又は５に記載の配線設備管理システム。
【請求項７】
前記図面用情報はＣＡＤデータであり、前記接続情報は前記ＣＡＤデータの構造化データに基づいて生成される、ことを特徴とする請求項２乃至６の何れかに記載の配線設備管理システム。
【請求項８】
前記図面用情報はＴＩＦＦデータであり、前記接続情報はＯＣＲ処理が施された前記ＴＩＦＦデータに基づいて生成される、ことを特徴とする請求項２乃至６の何れかに記載の配線設備管理システム。
【請求項９】
前記記憶素子は無線ＩＣタグである、ことを特徴とする請求項１乃至８の何れかに記載の配線設備管理システム。
【請求項１０】
前記無線ＩＣタグに前記識別情報を書き込む書込部と、
前記書込部が、前記無線ＩＣタグに前記識別情報を書き込むべく、当該識別情報を出力したか否かを判定する第１判定部と、
前記識別情報が前記書込部から出力されたと前記第１判定部により判定された場合、前記識別情報及び前記接続情報を前記記憶部に記憶させる記憶制御部と、
を更に備えたことを特徴とする請求項９に記載の配線設備管理システム。
【請求項１１】
前記識別情報と、当該識別情報が書き込まれるべき前記無線ＩＣタグから前記読出部により読み出された識別情報との相違の有無を判定する第２判定部を更に備え、
前記記憶制御部は、
前記書込部から出力されたと前記第１判定部により判定された識別情報と、前記読出部により読み出された識別情報との相違が無いと前記第２判定部により判定された場合、前記識別情報及び前記接続情報を前記記憶部に記憶させる、
ことを特徴とする請求項１０に記載の配線設備管理システム。
【請求項１２】
複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理システムに用いられる情報処理装置であって、
前記接続元の端子盤及び前記接続先の端子盤の少なくとも何れかが有する複数の端子に対応して設けられ、複数の記憶素子に記憶される複数の識別情報と、前記接続元の端子盤が有する複数の端子、前記接続先の端子盤が有する複数の端子、及び前記複数の配線の接続関係を示す複数の接続情報と、をそれぞれ対応付けて記憶する記憶部と、
前記複数の記憶素子のそれぞれに記憶された識別情報と、当該識別情報と対応付けられて前記記憶部に記憶された接続情報とに基づいて、当該識別情報が記憶された記憶素子に対応する前記接続元の端子盤の端子、前記接続先の端子盤の端子、及び前記配線の接続関係を特定する特定部と、
を備えたことを特徴とする情報処理装置。
【請求項１３】
前記配線設備を特定する情報と、当該配線設備の図面を表示するための図面用情報とを対応付けて記憶する図面用情報記憶部に接続可能であり、
前記記憶部に記憶される接続情報を、当該接続情報に該当する配線設備を特定する情報と対応付けられて前記図面用情報記憶部に記憶された図面用情報に基づいて生成する生成部を更に備えた、
ことを特徴とする請求項１２に記載の情報処理装置。
【請求項１４】
前記記憶素子から前記読出部により前記識別情報が読み出された場合、
前記読み出された識別情報に基づいて前記特定部により特定された接続関係と、当該接続関係に該当する配線設備を特定する情報に対応付けられて前記図面用情報記憶部に記憶された図面用情報とに基づいて、当該配線設備に係る当該接続状態を表示する、
表示部、
を更に備えたことを特徴とする請求項１２又は１３に記載の情報処理装置。
【請求項１５】
前記記憶素子たる無線ＩＣタグに前記識別情報を書き込む書込部が、前記無線ＩＣタグに前記識別情報を書き込むべく、当該識別情報を出力したか否かを判定する第１判定部と、
前記識別情報が前記書込部から出力されたと前記第１判定部により判定された場合、前記識別情報及び前記接続情報を前記記憶部に記憶させる記憶制御部と、
を更に備えたことを特徴とする請求項１２乃至１４の何れかに記載の情報処理装置。
【請求項１６】
前記識別情報と、当該識別情報が書き込まれるべき前記無線ＩＣタグから前記読出部により読み出された識別情報との相違の有無を判定する第２判定部を更に備え、
前記記憶制御部は、
前記書込部から出力されたと前記第１判定部により判定された識別情報と、前記読出部により読み出された識別情報との相違が無いと前記第２判定部により判定された場合、前記識別情報及び前記接続情報を前記記憶部に記憶させる、
ことを特徴とする請求項１５に記載の情報処理装置。
【請求項１７】
複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理方法であって、
前記接続元の端子盤及び前記接続先の端子盤の少なくとも何れかが有する端子に対応して設けられ、個別の識別情報を記憶する記憶素子から前記識別情報を読み出す読出ステップと、
前記読出ステップにおいて読み出された識別情報と、当該識別情報と対応付けられて記憶部に記憶された、前記接続元の端子盤が有する端子、前記接続先の端子盤が有する端子、及び前記配線の接続関係を示す接続情報とに基づいて、当該識別情報が記憶された記憶素子に対応する前記接続元の端子盤の端子、前記接続先の端子盤の端子、及び前記配線の接続関係を特定する特定ステップと、
を備えたことを特徴とする配線設備管理方法。
【請求項１８】
複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理方法を情報処理装置に実行させる配線設備管理プログラムであって、
前記接続元の端子盤及び前記接続先の端子盤の少なくとも何れかが有する端子に対応して設けられ、個別の識別情報を記憶する記憶素子から前記識別情報を読み出す読出ステップと、
前記読出ステップにおいて読み出された識別情報と、当該識別情報と対応付けられて記憶部に記憶された、前記接続元の端子盤が有する端子、前記接続先の端子盤が有する端子、及び前記配線の接続関係を示す接続情報とに基づいて、当該識別情報が記憶された記憶素子に対応する前記接続元の端子盤の端子、前記接続先の端子盤の端子、及び前記配線の接続関係を特定する特定ステップと、
を備えたことを特徴とする配線設備管理プログラム。
【発明の詳細な説明】
【技術分野】
【０００１】
本発明は、情報処理装置を用いて、端子盤間の配線の接続関係を管理する配線設備管理システム、配線設備管理方法、当該情報処理装置に当該配線設備管理方法を実行させる配線設備管理プログラム、及び当該情報処理装置に関する。
【背景技術】
【０００２】
例えば、変電所におけるケーブル（配線）の接続状態（接続関係）は、ケーブルを分岐したり、ケーブルどうしを接続したりするための端子盤の構成により概ね規定される。つまり、接続元及び接続先の端子盤のそれぞれにおける複数の端子間を接続する複数のケーブルの接続のし方を基本構成とした場合、ケーブルの接続状態は、これらの基本構成の組み合わせにより説明できる。
【０００３】
一方、端子盤等を表示する図面は、ＣＡＤ（computer-aided design）ソフトウェアがインストールされたエンジニアリング・ワークステーション（以後、ＥＷＳと呼ぶ）等により作成されるＣＡＤデータとしてデータベース化されて管理される（例えば、特許文献１参照。）。このＣＡＤデータは、例えば、表示又は印刷用のＴＩＦＦ（tagged image data format）データ、又はＣＡＤデータの論理情報を有する構造化データに変換され、これらは必要に応じて使い分けられる。
【０００４】
そこで、前述した変電所におけるケーブルの接続状態はデータ化され、例えばＣＡＤデータとして管理される。このＣＡＤデータは、端子盤を構成する複数の端子のデータと複数のケーブルのデータとを対応付けて構成されたものである。前述したように、このＣＡＤデータは、端子及びケーブルの接続状態を示すイメージデータであるＴＩＦＦデータに変換される一方、ケーブルの接続状態を示す論理情報を有する構造化データに変換される。そして、ケーブルの接続状態は、これらのＴＩＦＦデータ及び構造化データとしても管理される。
【０００５】
ところで、端子盤のＣＡＤデータをデータベースにおいてファイル単位で管理する場合、例えば、そのファイル名を端子盤の名称とすることにより、現物の端子盤とＣＡＤデータとの対応付けが行われる。同様の対応付けは、ＴＩＦＦデータ及び構造化データにも行われる。例えば、このようなデータベースを用いるシステムにおいて、端子盤のＣＡＤデータを新規又は変更登録する場合、例えば端子盤の名称のデータを人間が端末を通じて適宜入力することにより、ＣＡＤデータに対して端子盤の名称のファイル名が付与される。
【０００６】
以上のシステムによれば、例えばケーブル布設工事の対象を端子盤単位で指定すべく該当のファイル名を人間が端末を通じて適宜入力することにより、データベースから、現物の端子盤に該当するＣＡＤデータ又はＴＩＦＦデータが読み出され、その図面の表示又は印刷が可能となる。
【特許文献１】特開２００１−２５６２３７号公報
【発明の開示】
【発明が解決しようとする課題】
【０００７】
しかしながら、前述したシステムでは、例えばケーブル布設工事に際しその接続状態を特定すべく工事対象のＣＡＤデータを読み出す場合、この対象の指定には人間系が介在する。特に、１つの端子盤における複数の端子及びケーブルのうちの何れかの接続状態を特定する場合、これらを含むＣＡＤデータを前述したデータベースにおいて検索することは容易ではない。この場合には、前述した構造化データのデータベースを用いるのだが、このデータベースにおいて適宜な検索エンジンを用いて現物の端子又はケーブルを示すデータを検索する際、このデータの入力にはやはり人間系が介在する。これは非効率であるとともに、入力ミス等により現物と図面との対応がつかなくなる虞がある。
【０００８】
また、前述した構造化データのデータベースにおいて検索エンジンにより工事対象箇所のデータを検索しても、この工事対象箇所の名称を単に文字列のデータとして含むようなファイルが全てヒットしてしまい、検索ノイズが大きくなる虞がある。
【０００９】
更に、端子盤に対して前述した工事対象箇所が新規に追加されたり変更されたりする都度、該当の構造化データの更新が行われなければならないが、これに人間系が比較的大きく介在する場合、更新自体が忘れられて更新漏れとなり、現物と図面との対応がつかなくなる虞がある。また、人間系での入力ミスにより更新内容に誤りがある場合にも、現物と図面との対応がつかなくなる虞が生じる。
【００１０】
本発明は、かかる課題に鑑みてなされたものであり、その目的とするところは、配線設備の接続関係を正確且つ効率的に特定可能な配線設備管理システム、配線設備管理方法、配線設備管理プログラム、及び情報処理装置を提供することにある。
【課題を解決するための手段】
【００１１】
前記課題を解決するための発明は、複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理システムであって、前記接続元の端子盤及び前記接続先の端子盤の少なくとも何れかが有する複数の端子に対応して設けられ、個別の識別情報を記憶する複数の記憶素子と、前記複数の記憶素子に記憶された複数の識別情報と、前記接続元の端子盤が有する複数の端子、前記接続先の端子盤が有する複数の端子、及び前記複数の配線の接続関係を示す複数の接続情報と、をそれぞれ対応付けて記憶する記憶部と、前記複数の記憶素子のそれぞれに記憶された識別情報を読み出すための読出部と、前記記憶素子から前記読出部により読み出された識別情報と、当該識別情報と対応付けられて前記記憶部に記憶された接続情報とに基づいて、当該識別情報が記憶された記憶素子に対応する前記接続元の端子盤の端子、前記接続先の端子盤の端子、及び前記配線の接続関係を特定する特定部と、を備えてなる。
【００１２】
この配線設備管理システムによれば、読出部により、記憶素子から識別情報が読み出される。また、特定部により、読出部により読み出された識別情報と、この識別情報と対応付けられて記憶部に記憶された接続情報とに基づいて、この識別情報を記憶する記憶素子に対応する接続関係が特定される。ここで、接続情報とは、接続元の端子盤が有する端子、接続先の端子盤が有する端子、及び配線の接続関係を示す情報である。これにより、例えば作業者が記憶部に記憶させる識別情報及び接続情報を前以て準備しておけば、作業者は、読出部を適宜操作して端子盤に設けられた記憶素子から識別情報を読み出すだけで、この記憶素子に対応する端子及び配線の接続情報の示す接続関係を、例えば自動的且つ正確に特定できる。また、このような端子及び配線の接続関係を示す接続情報を、例えば配線設備の図面を表示するための図面用情報に基づいて生成できれば、前以て準備すべき識別情報及び接続情報も容易に生成できる。従って、配線設備の接続関係を正確且つ効率的に特定可能である。
【００１３】
また、かかる配線設備管理システムにおいて、前記配線設備を特定する情報と、当該配線設備の図面を表示するための図面用情報とを対応付けて記憶する図面用情報記憶部と、前記記憶部に記憶される接続情報を、当該接続情報に該当する配線設備を特定する情報と対応付けられて前記図面用情報記憶部に記憶された図面用情報に基づいて生成する生成部と、を更に備えたことが好ましい。
【００１４】
また、かかる配線設備管理システムにおいて、前記生成部は、前記図面用情報から抽出された文字情報に基づいて前記接続情報を生成する、ことが好ましい。
【００１５】
また、かかる配線設備管理システムにおいて、前記記憶素子から前記読出部により読み出された識別情報に基づいて前記特定部により特定された接続関係と、当該接続関係に該当する配線設備を特定する情報に対応付けられて前記図面用情報記憶部に記憶された図面用情報とに基づいて、当該配線設備に係る当該接続状態を表示する、表示部、を更に備えたことが好ましい。
【００１６】
また、かかる配線設備管理システムにおいて、前記表示部は、前記記憶素子に対応する前記端子を表示する、ことが好ましい。
【００１７】
また、かかる配線設備管理システムにおいて、前記表示部は、前記接続状態を表示するためのディスプレイ又はプリンタを有することが好ましい。
【００１８】
また、かかる配線設備管理システムにおいて、前記図面用情報はＣＡＤデータであり、前記接続情報は前記ＣＡＤデータの構造化データに基づいて生成される、ことが好ましい。
【００１９】
また、かかる配線設備管理システムにおいて、前記図面用情報はＴＩＦＦデータであり、前記接続情報はＯＣＲ処理が施された前記ＴＩＦＦデータに基づいて生成される、ことが好ましい。
【００２０】
また、かかる配線設備管理システムにおいて、前記記憶素子は無線ＩＣタグである、ことが好ましい。
【００２１】
また、かかる配線設備管理システムにおいて、前記無線ＩＣタグに前記識別情報を書き込む書込部と、前記書込部が、前記無線ＩＣタグに前記識別情報を書き込むべく、当該識別情報を出力したか否かを判定する第１判定部と、前記識別情報が前記書込部から出力されたと前記第１判定部により判定された場合、前記識別情報及び前記接続情報を前記記憶部に記憶させる記憶制御部と、を更に備えたことが好ましい。
【００２２】
また、かかる配線設備管理システムにおいて、前記識別情報と、当該識別情報が書き込まれるべき前記無線ＩＣタグから前記読出部により読み出された識別情報との相違の有無を判定する第２判定部を更に備え、前記記憶制御部は、前記書込部から出力されたと前記第１判定部により判定された識別情報と、前記読出部により読み出された識別情報との相違が無いと前記第２判定部により判定された場合、前記識別情報及び前記接続情報を前記記憶部に記憶させる、ことが好ましい。
【００２３】
また、前記課題を解決するための発明は、複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理システムに用いられる情報処理装置であって、前記接続元の端子盤及び前記接続先の端子盤の少なくとも何れかが有する複数の端子に対応して設けられ、複数の記憶素子に記憶される複数の識別情報と、前記接続元の端子盤が有する複数の端子、前記接続先の端子盤が有する複数の端子、及び前記複数の配線の接続関係を示す複数の接続情報と、をそれぞれ対応付けて記憶する記憶部と、前記複数の記憶素子のそれぞれに記憶された識別情報と、当該識別情報と対応付けられて前記記憶部に記憶された接続情報とに基づいて、当該識別情報が記憶された記憶素子に対応する前記接続元の端子盤の端子、前記接続先の端子盤の端子、及び前記配線の接続関係を特定する特定部と、を備えてなる。
【００２４】
また、かかる情報処理装置において、前記配線設備を特定する情報と、当該配線設備の図面を表示するための図面用情報とを対応付けて記憶する図面用情報記憶部に接続可能であり、前記記憶部に記憶される接続情報を、当該接続情報に該当する配線設備を特定する情報と対応付けられて前記図面用情報記憶部に記憶された図面用情報に基づいて生成する生成部を更に備えた、ことが好ましい。
【００２５】
また、かかる情報処理装置において、前記記憶素子から前記読出部により前記識別情報が読み出された場合、前記読み出された識別情報に基づいて前記特定部により特定された接続関係と、当該接続関係に該当する配線設備を特定する情報に対応付けられて前記図面用情報記憶部に記憶された図面用情報とに基づいて、当該配線設備に係る当該接続状態を表示する、表示部、を更に備えたことが好ましい。
【００２６】
また、かかる情報処理装置において、前記記憶素子たる無線ＩＣタグに前記識別情報を書き込む書込部が、前記無線ＩＣタグに前記識別情報を書き込むべく、当該識別情報を出力したか否かを判定する第１判定部と、前記識別情報が前記書込部から出力されたと前記第１判定部により判定された場合、前記識別情報及び前記接続情報を前記記憶部に記憶させる記憶制御部と、を更に備えたことが好ましい。
【００２７】
また、かかる情報処理装置において、前記識別情報と、当該識別情報が書き込まれるべき前記無線ＩＣタグから前記読出部により読み出された識別情報との相違の有無を判定する第２判定部を更に備え、前記記憶制御部は、前記書込部から出力されたと前記第１判定部により判定された識別情報と、前記読出部により読み出された識別情報との相違が無いと前記第２判定部により判定された場合、前記識別情報及び前記接続情報を前記記憶部に記憶させる、ことが好ましい。
【００２８】
また、前記課題を解決するための発明は、複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理方法であって、前記接続元の端子盤及び前記接続先の端子盤の少なくとも何れかが有する端子に対応して設けられ、個別の識別情報を記憶する記憶素子から前記識別情報を読み出す読出ステップと、前記読出ステップにおいて読み出された識別情報と、当該識別情報と対応付けられて記憶部に記憶された、前記接続元の端子盤が有する端子、前記接続先の端子盤が有する端子、及び前記配線の接続関係を示す接続情報とに基づいて、当該識別情報が記憶された記憶素子に対応する前記接続元の端子盤の端子、前記接続先の端子盤の端子、及び前記配線の接続関係を特定する特定ステップと、を備えてなる。
【００２９】
また、前記課題を解決するための発明は、複数の端子を有する接続元の端子盤と、複数の端子を有する接続先の端子盤と、前記接続元の端子盤が有する複数の端子及び前記接続先の端子盤が有する複数の端子の間を電気的に接続する複数の配線と、を有する配線設備を管理する配線設備管理方法を情報処理装置に実行させる配線設備管理プログラムであって、前記接続元の端子盤及び前記接続先の端子盤の少なくとも何れかが有する端子に対応して設けられ、個別の識別情報を記憶する記憶素子から前記識別情報を読み出す読出ステップと、前記読出ステップにおいて読み出された識別情報と、当該識別情報と対応付けられて記憶部に記憶された、前記接続元の端子盤が有する端子、前記接続先の端子盤が有する端子、及び前記配線の接続関係を示す接続情報とに基づいて、当該識別情報が記憶された記憶素子に対応する前記接続元の端子盤の端子、前記接続先の端子盤の端子、及び前記配線の接続関係を特定する特定ステップと、を備えてなる。
【発明の効果】
【００３０】
配線設備の接続関係を正確且つ効率的に特定できる。
【発明を実施するための最良の形態】
【００３１】
＝＝＝配線設備管理システムの構成＝＝＝
図１のブロック図に例示されるように、本実施の形態の配線設備管理システム１０は、主として、ＥＷＳ２０と、端末（情報処理装置）３０と、リーダライタ（読出部、読出装置、書込部）３０ｂと、無線ＩＣタグ（記憶素子）５０、５０１乃至５０６とを備えて構成されている。ＥＷＳ２０及び端末３０は、情報通信ネットワーク４０を通じて接続されている。同図に例示されるように、本実施の形態の配線設備管理システム１０の管理対象は、それぞれにケーブル（配線）が接続可能な複数個の端子を有する端子台を備えた端子盤である。
【００３２】
ＥＷＳ２０は、端子盤の例えば正面図（図面）のＣＡＤデータ（図面用情報）２０１ａを作成し、これをデータベースに対して入出力する機能を備えた情報処理装置である。ＥＷＳ２０が備える適宜なメモリ（不図示）に記憶されたＣＡＤソフトウェアにより、同じくＥＷＳ２０が備える適宜なＣＰＵ（不図示）が適宜動作することにより、前述したＣＡＤデータ２０１ａが作成される。また、ＥＷＳ２０は、ＣＡＤデータベース２０１と、文字データベース２０２と、ＴＩＦＦデータベース２０３とを備えている。
【００３３】
ＣＡＤデータベース（図面用情報記憶部）２０１は、前述したＣＡＤデータ２０１ａを記憶するデータベースである。本実施の形態のＣＡＤデータ２０１ａは、例えば２個１組の端子盤毎にファイル単位でＣＡＤデータベース２０１に記憶されている。本実施の形態では、互いにケーブルで接続された端子盤ＡＡＡ及び端子盤ＢＢＢ（配線設備、図２参照）の正面図のＣＡＤデータ２０１ａには、例えば「AAA-BBB.***」なるファイル名（配線設備を特定する情報）が付される。ここで、「***」はＣＡＤデータに相当する適宜な識別子を意味する。
【００３４】
文字データベース２０２は、ＣＡＤデータ２０１ａに適宜な処理が施されて作成された文字データ２０２ａを記憶するデータベースである。本実施の形態の文字データ２０２ａは、ＣＡＤデータ２０１ａから抽出された図面文字列のデータ（文字情報）で構成される構造化データである。つまり、２個１組の端子盤を表わすＣＡＤデータ２０１ａに適宜な処理が施されて作成された文字データ２０２ａは、ケーブルの接続状態（配線の接続関係）と反映する構成を備えたものである。このような処理は、例えば、前述したＣＡＤソフトウェアが有するサブルーチンのうちの何れかによって実施される。
【００３５】
ＴＩＦＦデータベース２０３は、ＣＡＤデータ２０１ａに適宜な処理が施されて作成されたＴＩＦＦデータ２０３ａを記憶するデータベースである。このような処理は、例えば、前述したＣＡＤソフトウェアが有するサブルーチンのうちの何れかによって実施される。ＴＩＦＦデータ２０３ａは所謂イメージデータであり、このイメージデータに基づいて、２個１組の端子盤の正面図がディスプレイに表示されたり、プリンタを通じて用紙に印刷されたりする。
【００３６】
尚、本実施の形態では、互いにケーブルで接続された端子盤ＡＡＡ及び端子盤ＢＢＢの正面図の文字データ２０２ａ及びＴＩＦＦデータ２０３ａにも、ＣＡＤデータ２０１ａの場合と同様、例えば「AAA-BBB.***」なるファイル名が付される。ここで、「***」は、文字データ及びＴＩＦＦデータに相当する適宜な識別子を意味する。
【００３７】
端末３０は、前述したＥＷＳ２０から文字データ２０２ａ等を受信し、後述するＩＤコードデータを作成する機能を備えた情報処理装置である。本実施の形態の端末３０は、例えば端子盤の正面図を表示するためのディスプレイ３０ａと、端子盤に貼付される後述する無線ＩＣタグに対してタグＩＤの読み出し及び書き込みを行うための後述するリーダライタ３０ｂとを備えている。また、本実施の形態の端末３０は、作業用データベース３０１及び常用データベース３０２を備えている。後述するように、作業用データベース３０１及び常用データベース３０２は、タグＩＤに対して、接続元及び接続先の端子盤並びにケーブルの情報を紐付けた（対応付けた）仮登録ＩＤコードデータ３０１ａ及び本登録ＩＤコードデータ３０２ａをそれぞれ記憶するデータベースである。
【００３８】
リーダライタ３０ｂは、例えば、携帯情報端末（ＰＤＡ、personal digital assistant）に、無線ＩＣタグに対する接触型又非接触型のリーダライタが設けられたものである。本実施の形態のリーダライタ３０ｂは、端末３０と有線又は無線通信可能に接続されるものであるが、これに限定されるものではなく、例えば情報通信ネットワーク４０を通じて端末３０に接続されるものであってもよい。
【００３９】
図２の正面図に例示されるように、無線ＩＣタグ５０１乃至５０６は、端子盤が備える端子台が有する複数の端子のそれぞれに対応するように、この端子に隣接して貼付されている。同図は、端子盤ＡＡＡ及び端子盤ＢＢＢが６本のケーブル（ＳＡＢ１乃至ＳＡＢ６）で接続された状態を示す模式図である。無線ＩＣタグ５０１乃至５０６には、自身を識別するためのタグＩＤ（識別情報）が、例えばＴＡ００１乃至ＴＡ００６のように記憶されている。本実施の形態の無線ＩＣタグ５０１乃至５０６が有する記憶素子としての機能は、電気的に読み出し及び書き込みが可能な不揮発性メモリ（例えばＥ２ＰＲＯＭ等）を無線ＩＣタグ５０１乃至５０６が備えることにより実現される。尚、同図におけるケーブルの本数及び端子の個数は一例であって、これに限定されるものではない。
【００４０】
例えば端子盤ＡＡＡ（接続元の端子盤）が備える端子台ＡＡには図２における横方向に対をなす金属製の端子が同図における縦方向に列をなして設けられている。これら一対の端子どうしは例えば端子台ＡＡＡの図２における背面にて電気的に接続されているため、例えばこの一対の端子のそれぞれに接続される一対のケーブルは電気的に接続されることになる。端子台ＡＡにおける端子ＡＲ１乃至ＡＲ６と、これと対をなす端子との間隙には例えば絶縁部材が設けられており、この絶縁部材の表面ＴＡ１乃至ＴＡ６に無線ＩＣタグ５０１乃至５０６が貼付されている。また、各端子を特定し易いように、絶縁部材の表面には、「１」乃至「６」といった端子番号の印字が施されている。本実施の形態の無線ＩＣタグ５０１乃至５０６は、一対の端子間に貼付されており、そのうちの一方の端子ＡＲ１乃至ＡＲ６のみに対応するものである。但し、これに限定されるものではなく、例えば、一対の端子のそれぞれに対応すべく２個の無線ＩＣタグが貼付されてもよい。また、例えば、図２に例示される構成であっても、１個の無線ＩＣタグが一対の端子のそれぞれに対応すべく、各端子に対応する２つのタグＩＤを記憶するものであってもよい。
【００４１】
端子盤ＢＢＢ（接続先の端子盤）の構成も端子盤ＡＡＡの構成と同様である。図２の例示によれば、端子盤ＡＡＡの端子台ＡＡが有する端子ＡＲ１乃至ＡＲ６と、端子盤ＢＢＢの端子台ＢＢが有する端子ＢＲ１乃至ＢＲ６とは、ケーブルＳＡＢ１乃至ＳＡＢ６によりそれぞれ接続されている。これにより、本実施の形態の配線設備である端子盤及びケーブルの接続状態は、端子ＡＲＮ及び端子ＢＲＮがケーブルＳＡＢＮで接続されたものということになる（Ｎ＝１乃至６）。
【００４２】
以上、図２の正面図に例示される端子盤及びケーブルが本実施の形態の配線設備の基本構成であるが、配線設備の構成はこれに限定されるものではなく、３個以上の端子盤が接続されたより複雑な構成を有するものでもよい。但し、３個以上の端子盤からなる配線設備であっても、２個ずつの端子盤の組み合わせとみなすことができるため、以下本実施の形態で奏される効果と同様の効果が奏される。
【００４３】
図３の図表に例示されるように、前述した端子盤の構成はＩＤコードデータに表わされるテーブルデータと等価である。本実施の形態のＩＤコードデータには、仮登録ＩＤコードデータ３０１ａ及び本登録ＩＤコードデータ３０２ａの２つがある。端末３０は、仮登録ＩＤコードデータ３０１ａを作成して作業用データベース（記憶部）３０１に記憶させ、後述する判定の後に、この仮登録ＩＤコードデータ３０１ａを本登録ＩＤコードデータ３０２ａとして常用データベース（記憶部）３０２に記憶させる。
【００４４】
２つのＩＤコードデータ３０１ａ、３０２ａでは、タグＩＤ（ＴＡ００１乃至ＴＡ００６、識別情報）について、接続元の端子盤ＡＡＡ、端子台ＡＡ、端子番号ＡＲ１乃至ＡＲ６と、接続先の端子盤ＢＢＢ、端子台ＢＢ、端子番号ＢＲ１乃至ＢＲ６と、ケーブル番号ＳＡＢ１乃至ＳＡＢ６と（接続情報）がそれぞれ紐付けられている。後述するように、タグＩＤ以外のこれらの情報は、図２に例示される図面を表示するためのＣＡＤデータ２０１ａに対応する文字データ２０２ａに基づいて端末３０で作成される。また、後述するように、この本登録ＩＤコードデータ３０２ａとＣＡＤデータ２０１ａとを組み合わせることにより、端末３０のディスプレイ３０ａにおいて接続状態が強調された端子盤の図面が表示される。
【００４５】
＝＝＝配線設備管理方法＝＝＝
＜＜＜識別情報及び接続情報の新規登録＞＞＞
以下、図２に例示される配線設備とその接続状態との紐付けを行うべく、端末３０が仮登録ＩＤコードデータ３０１ａ（図３）を新規に作成し、本登録ＩＤコードデータ３０２ａ（図３）とするまでの処理の手順について説明する。尚、作業者は、端末３０において、本実施の形態の配線設備管理プログラムの例えば登録モードを起動させているものとする。
【００４６】
図４のフローチャートに例示されるように、先ず、作業者が例えばキーボード及びマウスを用いて、端子盤ＡＡＡ（接続元）及び端子盤ＢＢＢ（接続先）のＣＡＤデータ２０１ａを指定し前述の紐付けを行う旨のデータを端末３０に適宜入力する。この入力を受信した端末３０は、情報通信ネットワーク４０を通じてＥＷＳ２０にアクセスし、端子盤に対応する文字データ２０２ａを文字データベース２０２から読み出し、この文字データ２０２ａに基づいて、接続元及び接続先の端子及びケーブルの接続状態を示す接続情報を作成する（Ｓ１００）。尚、前述したように、端子盤のＣＡＤデータ２０１ａ、文字データ２０２ａ、及びＴＩＦＦデータ２０３ａは、ＥＷＳ２０を用いて予め作成されているものとする。
【００４７】
次に、端末３０は、複数の接続情報のそれぞれを区別する複数のタグＩＤを例えばＴＡ００１乃至ＴＡ００６のように作成し、各接続情報に対応付けて仮登録ＩＤコードデータ３０１ａを作成する（Ｓ１０１）。尚、端末３０は、作成したタグＩＤを、この端末３０の備える適宜なメモリに記憶させる。
【００４８】
次に、端末３０は、仮登録ＩＤコードデータ３０１ａをバイナリデータに適宜変換し、これを作業用データベース２０１に記憶させる（Ｓ１０２）。
【００４９】
以上は、配線設備とその接続状態との紐付けを行う前の準備に相当するものであり、ＥＷＳ２０を用いて配線設備のＣＡＤデータ２０１ａが作成された時より適宜な時期に端末３０を用いて実行される。
【００５０】
ステップＳ１０２においてタグＩＤが作成された時点で、作業者は、例えばこれらのタグＩＤを、リーダライタ３０ｂを通じて無線ＩＣタグ５０１乃至５０６に書き込む工程を実行する。ここで、無線ＩＣタグ５０１乃至５０６は未使用又は使用済の何れであっても、新規のタグＩＤが書き込まれた後、端子盤ＡＡＡの所定位置（ＴＡ１乃至ＴＡ６）に貼付される。或いは、無線ＩＣタグ５０１乃至５０６は、端子盤ＡＡＡの所定位置に既に貼付されたものであって、端末３０と無線通信可能なリーダライタ３０ｂが端子盤ＡＡＡのある現場に持参され、この現場において書込みが行われてもよい。
【００５１】
作業者による前述した作業中に、端末３０は、仮登録ＩＤコードデータ３０１ａに記憶されたタグＩＤ（ＴＡ００１乃至ＴＡ００６）がリーダライタ３０ｂから出力されたか否かを判定する（Ｓ１０３）。
【００５２】
もし、仮登録ＩＤコードデータ３０１ａに記憶された全てのタグＩＤ（ＴＡ００１乃至ＴＡ００６）がリーダライタ３０ｂから出力されたと判定した場合（Ｓ１０４：ＹＥＳ）、端末３０は、更に、リーダライタ３０ｂにより読み出されたタグＩＤが、前述した適宜なメモリに記憶されたタグＩＤと一致するか否かを判定する（Ｓ１０５）。ここで、タグＩＤの個数は、前述した適宜なメモリを参照することにより取得される。一方、リーダライタ３０ｂから全てのタグＩＤが出力されていないと判定した場合（Ｓ１０４：ＮＯ）、端末３０は、リーダライタ３０ｂから出力されるタグＩＤを適時監視する動作を継続する（Ｓ１０３）。
【００５３】
もし、リーダライタ３０ｂにより読み出されたタグＩＤが、前述した適宜なメモリに記憶されたタグＩＤと一致すると判定した場合（Ｓ１０５：ＹＥＳ）、端末３０は、仮登録ＩＤコードデータを本登録ＩＤコードデータとして作業用データベース３０１から常用データベース３０２にコピーする（Ｓ１０６）。
【００５４】
一方、リーダライタ３０ｂにより読み出されたタグＩＤが前述した適宜なメモリに記憶されたタグＩＤと一致しないと判定した場合（Ｓ１０５：ＮＯ）、端末３０は、例えば「無線ＩＣタグを未だ貼付していないか、貼付のし方が誤っています」といったメッセージをディスプレイ３０ａに表示させ（Ｓ１０７）、処理を終了する。
【００５５】
以上により、配線設備とその接続状態との紐付けが実行されたこととなる。
【００５６】
＜＜＜識別情報及び接続情報の変更登録＞＞＞
以下、変更された配線設備とその接続状態との紐付けを行うべく、端末３０が、変更された既存の仮登録ＩＤコードデータを本登録するまでの処理の手順について説明する。
【００５７】
図５のフローチャートに例示されるように、先ず、作業者が例えばキーボード及びマウスを用いて、端子盤ＡＡＡ（接続元）及び端子盤ＢＢＢ（接続先）の変更にともなって変更されたＣＡＤデータを指定し、この変更分について前述の紐付けを再度行う旨のデータを端末３０に適宜入力する。本実施の形態における配線設備の変更とは、例えば、端子ＡＲ２に接続されたケーブルＳＡＢ２（図２）と、端子ＡＲ５に接続されたケーブルＳＡＢ５（図２）とを相互に取り替えて、端子ＡＲ２にケーブルＳＡＢ５を接続し、端子ＡＲ５にケーブルＳＡＢ２を接続したものとする。前述の入力を受信した端末３０は、ＥＷＳ２０にアクセスして、変更された端子盤に対応する変更された文字データ２０２ａを文字データベース２０２から読み出し、この文字データ２０２ａの変更分に基づいて、接続元及び接続先の端子及びケーブルの接続状態を示す変更分の接続情報を作成する。この変更分の接続情報とは、例えば、図３においてタグＩＤ「ＴＡ００２」に対する接続元のケーブル番号が「ＳＡＢ００２」から変更されて「ＳＡＢ５」となったものと、同図においてタグＩＤ「ＴＡ００５」に対する接続元のケーブル番号が「ＳＡＢ５」から変更されて「ＳＡＢ２」となったものとである（Ｓ２００）。尚、前述したように、変更された端子盤の変更されたＣＡＤデータ２０１ａに基づいて、文字データ２０２ａ及びＴＩＦＦデータ２０３ａは、ＥＷＳ２０を用いて予め作成されているものとする。
【００５８】
次に、端末３０は、変更分の接続情報及び既存の接続情報のそれぞれを区別すべく、変更分のタグＩＤを例えばＴＡ５０２及びＴＡ５０５のように新たに作成し、変更分の接続情報に対応付けることにより、作業用データベース３０１に記憶された仮登録ＩＤコードデータ３０１ａを変更する（Ｓ２０１）。
【００５９】
ステップＳ２０１において、端末３０は、変更後の仮登録ＩＤコードデータと、既存の仮登録ＩＤコードデータ３０１ａとの差分データ（図６（ａ）参照）を作成し、この端末３０の備える適宜なメモリに記憶させる。図６（ａ）の図表に例示されるように、この差分データとは、変更後の仮登録ＩＤコードデータにおける変更後のデータ要素から構成されるものである。同図に例示されるように、差分データのデータ要素は、ステップＳ２０１において新たに作成されたタグＩＤ「ＴＡ５０２」、及びこれに対応する接続元のケーブル番号「ＳＡＢ５」と、ステップＳ２０１において新たに作成されたタグＩＤ「ＴＡ５０５」、及びこれに対応する接続元のケーブル番号「ＳＡＢ２」とである。また、端末３０は、作業用データベース３０１から読み出した変更後の仮登録ＩＤコードデータと、前述した適宜なメモリから読み出した差分データとを組み合わせて、変更箇所を強調した仮登録ＩＤコードデータの表をディスプレイ３０ａに表示させる（図６（ｂ）参照）。これにより、作業者は、現物のどの箇所が変更になるかを容易に視認でき、後述する無線ＩＣタグの貼り替え作業が効率化される（Ｓ２０２）。
【００６０】
以上は、変更された配線設備とその接続状態との紐付けを行う前の準備に相当するものである。
【００６１】
ステップＳ２０３において変更分のタグＩＤが新たに作成された時点で、作業者は、これらのタグＩＤを、リーダライタ３０ｂを通じて無線ＩＣタグに書き込む工程を実行する。ここで、無線ＩＣタグ５０２、５０５は未使用又は使用済の何れであっても、新規のタグＩＤが書き込まれた後、端子盤ＡＡＡの所定位置（ＴＡ２、ＴＡ５）において貼り替えられる。或いは、無線ＩＣタグ５０２、５０５は、端子盤ＡＡＡの所定位置に既に貼付されており、端末３０と無線通信可能なリーダライタ３０ｂが端子盤ＡＡＡのある現場に持参され、この現場において書込みが行われてもよい。この場合、前述したディスプレイ３０ａに表示された表（図６（ｂ））を見ることにより、作業者は、現物のどの箇所が変更になるかを容易に視認でき、無線ＩＣタグの貼り替え作業が効率化される。
【００６２】
次に、作業者は、端子盤ＡＡＡにおいて貼り替えた２個の無線ＩＣタグのタグＩＤを、リーダライタ３０ｂを通じて読み出す工程を実行する。
【００６３】
作業者による前述した作業中に、端末３０は、仮登録ＩＤコードデータ３０１ａに記憶されたタグＩＤ（ＴＡ５０２、ＴＡ５０５）がリーダライタ３０ｂから出力されたか否かを判定する（Ｓ２０３）。
【００６４】
もし、仮登録ＩＤコードデータ３０１ａに記憶された変更分のタグＩＤ（ＴＡ５０２、ＴＡ５０５）がリーダライタ３０ｂから出力されたと判定した場合（Ｓ２０４：ＹＥＳ）、端末３０は、更に、リーダライタ３０ｂにより読み出されたタグＩＤが、前述した適宜なメモリに記憶された差分データに含まれるタグＩＤと一致するか否かを判定する（Ｓ２０５）。一方、リーダライタ３０ｂから変更分のタグＩＤが出力されていないと判定した場合（Ｓ２０４：ＮＯ）、端末３０は、リーダライタ３０ｂから出力されるタグＩＤを適時監視する動作を継続する（Ｓ２０３）。
【００６５】
もし、リーダライタ３０ｂにより読み出されたタグＩＤが、前述した適宜なメモリに記憶された差分データに含まれるタグＩＤと一致すると判定した場合（Ｓ２０５：ＹＥＳ）、端末３０は、変更された仮登録ＩＤコードデータを本登録ＩＤコードデータとして作業用データベース３０１から常用データベース３０２にコピーする（Ｓ２０６）。
【００６６】
一方、リーダライタ３０ｂにより読み出されたタグＩＤの何れかが前述した適宜なメモリに記憶された差分データに含まれるタグＩＤと一致しないと判定した場合（Ｓ２０５：ＮＯ）、端末３０は、例えば「無線ＩＣタグを未だ貼付していないか、貼付のし方が誤っています」といったメッセージをディスプレイ３０ａに表示させ（Ｓ２０７）、処理を終了する。
【００６７】
以上により、変更された配線設備とその接続状態との再紐付けが実行されたこととなる。
【００６８】
＜＜＜接続関係の特定＞＞＞
以下、図２に例示される配線設備とその接続状態との紐付けを行った後に、端末３０が、配線設備の接続関係を図面上で強調して表示する処理の手順について説明する。尚、作業者は、端末３０において、本実施の形態の配線設備管理プログラムの例えば検索モードを起動させているものとする。
【００６９】
図７のフローチャートに例示されるように、先ず、作業者は、端子盤ＡＡＡにおける何れかの端子に隣接して貼付された無線ＩＣタグ５０１乃至５０６に対してリーダライタ３０ｂを対向させるように保持し、このリーダライタ３０ｂを通じて、端末３０にタグＩＤを読み出させる。タグＩＤを受信した端末３０は、このタグＩＤに対応付けられた接続情報を常用データベース３０２に記憶された本登録ＩＤコードデータ３０２ａから読み出し、前述した適宜なメモリに記憶させる。具体的には、作業者が、リーダライタ３０ｂを用いて、無線ＩＣタグ５０３（図２）のタグＩＤ（ＴＡ００３）を読み出した場合、端末３０は、図３に例示された本登録ＩＤコードデータ３０２ａを参照し、タグＩＤ（ＴＡ００３）に対応付けられた接続情報である、接続元及び接続先それぞれの端子盤（ＡＡＡ、ＢＢＢ）、端子台（ＡＡ、ＢＢ）、端子番号（ＡＲ３、ＢＲ３）、及びケーブル番号（ＳＡＢ３）を読み出しメモリに記憶させる（Ｓ３００）。
【００７０】
次に、端末３０は、情報通信ネットワーク４０を通じてＥＷＳ２０にアクセスし、ステップＳ３００において接続情報として取得した端子盤ＡＡＡ及び端子盤ＢＢＢに対応するファイル名（例えば「AAA-BBB.***」）が付与されたＣＡＤデータ２０１ａをＣＡＤデータベース２０１から読み出す（Ｓ３０１）。
【００７１】
次に、端末３０は、ステップＳ３００において読み出した本登録ＩＤコードデータ３０２ａと、ステップＳ３０１において読み出したＣＡＤデータ２０１ａとを組み合わせることにより、例えば端子ＡＲ３・ケーブルＳＡＢ３・端子ＢＲ３といった接続状態が強調された端子盤ＡＡＡ及び端子盤ＢＢＢの図面のデータを作成し、これをディスプレイ（表示部）３０ａに表示させる（Ｓ３０２）（図８参照）。
【００７２】
本実施の形態の配線設備管理システム１０によれば、例えば作業者は、端末３０を用いて、ステップＳ１００乃至Ｓ１０２（図４）又はステップＳ２００乃至２０２（図５）の処理を前以て実行しＩＤコードデータ３０１ａ、３０２ａを作成しておけば、無線ＩＣタグ５０１乃至５０６からリーダライタ３０ｂによりタグＩＤを読み出すだけで、この無線ＩＣタグ５０１乃至５０６が貼付された端子と当該端子に接続されたケーブル等の接続状態を自動的且つ正確に特定できる。つまり、或る端子を含む端子盤に該当するＣＡＤデータを検索すべく、人間系が端子の名前等のデータを入力するといった手間が省ける。一方、ＩＤコードデータ３０１ａ、３０２ａは、端子盤のＣＡＤデータ２０１ａに基づいて容易に生成できる。従って、配線設備の接続状態を正確且つ効率的に特定可能である。
【００７３】
尚、本実施の形態の端末３０が有する適宜なＣＰＵと、当該ＣＰＵに前述したステップＳ３０２の処理を実行させる適宜なプログラムとが特定部、表示部、及び記憶制御部に相当する。また、本実施の形態の端末３０が有する適宜なＣＰＵと、当該ＣＰＵに前述したステップＳ１００及びＳ２００の処理を実行させる適宜なプログラムとが生成部に相当する。また、本実施の形態の端末３０が有する適宜なＣＰＵと、当該ＣＰＵに前述したステップＳ１０３及びＳ２０３の処理を実行させる適宜なプログラムとが第１判定部に相当する。また、本実施の形態の端末３０が有する適宜なＣＰＵと、当該ＣＰＵに前述したステップＳ２０５の処理を実行させる適宜なプログラムとが第２判定部に相当する。
【００７４】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００７５】
前述した実施の形態では、ＥＷＳ２０及び端末３０が通信可能な別個の情報処理装置であるとしたが、これに限定されるものではなく、例えば、ＥＷＳ２０及び端末３０は単一の情報処理装置であるとしてもよい。この場合、リーダライタ３０ｂは、情報通信ネットワーク４０を通じて、この情報処理装置に接続されるものであってもよい。
【００７６】
また、前述した実施の形態では、ＣＡＤデータ２０１ａを図面用情報としたが、これに限定されるものではなく、例えば適宜な作図用ソフトウェアで作成されたＴＩＦＦデータを図面用情報としてもよい。この場合、前述した文字データ２０２ａに相当するデータは、ＴＩＦＦデータにＯＣＲ（optical character recognition）処理を適宜施すことにより作成される。また、前述したＴＩＦＦデータ２０３ａに相当するデータは、図面用情報と同一となる。
【００７７】
また、前述した実施の形態では、配線設備の接続状態を特定する際にこの配線設備の図面を用いているが、これに限定されるものではない。例えば、図９のブロック図に例示されるように、本発明の配線設備管理システム１００として、単一のサーバ３００を考える。このサーバ３００は、作業用データベース３０１０及び情報データベース３０２０を備え、携帯情報端末（ＰＤＡ）３５０と接続可能である。このＰＤＡ３５０は、ディスプレイ３５０ａ及びリーダライタ３５０ｂを備えている。このシステム１００は、ＣＡＤデータ等のデータベースを備えていないため、２つのデータベース３０１０、３０２０にそれぞれ記憶される２つの表データ３０１０ａ、３０２０ａは、例えば人間系を介在して作成される。一方、サーバ３００が前述した実施の形態の端末３０と同等の機能を備えていれば、このサーバ３００は、リーダライタ３５０ｂにより無線ＩＣタグ５０１乃至５０６のタグＩＤが読み出されるとディスプレイ３５０ａに図３に例示されるような表形式のデータを表示させることは可能である。このような表形式のデータを表示させる場合、図６（ｂ）に例示されるように、リーダライタ３５０ｂで読み出された無線ＩＣタグ５０１乃至５０６に該当する箇所が適宜マーキングされるようにすることも可能である。これにより、配線設備の接続関係が特定される。
【図面の簡単な説明】
【００７８】
【図１】本実施の形態の配線設備管理システムの構成例を示すブロック図である。
【図２】本実施の形態の端子盤の正面図である。
【図３】本実施の形態のＩＤコードデータの一例を示す図表である。
【図４】本実施の形態の端末が、新規の仮登録ＩＤコードデータを本登録するまでの処理の手順を示すフローチャートである。
【図５】本実施の形態の端末が、変更された仮登録ＩＤコードデータを本登録するまでの処理の手順を示すフローチャートである。
【図６】（ａ）は、本実施の形態の差分データの一例を示す図表であり、（ｂ）は、本実施の形態のＩＤコードデータのディスプレイ上での表示例を示す模式図である。
【図７】本実施の形態の端末が、配線設備の接続関係を図面上で強調して表示する処理の手順を示すフローチャートである。
【図８】本実施の形態の配線設備の図面のディスプレイ上での表示例を示す模式図である。
【図９】本実施の形態の配線設備管理システムの構成例を示すもう一つのブロック図である。
【符号の説明】
【００７９】
１０、１００  配線設備管理システム
２０    ＥＷＳ
３０    端末
３０ａ、３５０ａ  ディスプレイ
３０ｂ、３５０ｂ  リーダライタ
４０    情報通信ネットワーク
５０１−５０６  無線ＩＣタグ
２０１    ＣＡＤデータベース
２０１ａ  ＣＡＤデータ
２０２    文字データベース
２０２ａ  文字データ
２０３    ＴＩＦＦデータベース
２０３ａ  ＴＩＦＦデータ
３００    サーバ
３５０    ＰＤＡ
３０１、３０１０      作業用データベース
３０１ａ、３０１０ａ  仮登録ＩＤコードデータ
３０２、３０２０      常用データベース
３０２ａ、３０２０ａ  本登録ＩＤコードデータ
【図１】
2006101574.tif 000003
【図２】
2006101574.tif 000004
【図３】
2006101574.tif 000005
【図４】
2006101574.tif 000006
【図５】
2006101574.tif 000007
【図６】
2006101574.tif 000008
【図７】
2006101574.tif 000009
【図８】
2006101574.tif 000010
【図９】
2006101574.tif 000011